(57)【要約】【課題】撮影画像に対して当該撮影画像と最も関連のある地図を関連付けた上で、撮影画像および地図の双方を一画面に表示することのできる画像表示装置を提供すること。【解決手段】ＧＰＳ機能搭載デジタルカメラによって撮影された画像の画像ファイル等が格納されたハードディスク（ＨＤＤ）１０１と、作成年度が異なる複数の地図のデータが格納された地図データベース１０３と、ユーザによって選択された画像ファイルの撮影日時情報に基づいて、地図データベース１０３に格納されている地図の中から撮影日時に最も近い作成年度の地図を選択する地図選択部１０５と、画像ファイルの画像データと、地図選択部１０５で選択された地図の地図画像データから所定の形態で撮影画像および地図画像の双方を表示するよう処理する表示処理部１０７とを備えて構成されている。【選択図】　　図１
2004048560.tif 000002
【特許請求の範囲】
【請求項１】
撮影画像に対して当該撮影画像と最も関連のある地図を関連付けた上で、前記撮影画像および地図の双方を一画面に表示する画像表示装置であって、
作成年度が異なる少なくとも１つの地図を記憶した地図データベースと、
撮影日時情報および撮影地点情報を含む画像ファイルに基づいて、前記地図データベースから前記画像ファイルの撮影日時に最も近い作成年度の地図を選択する地図選択手段と、
前記地図選択手段によって選択された地図における前記画像ファイルの撮影地点を含む地図画像と、前記画像ファイルの撮影画像とを一画面に表示するよう処理する表示処理手段と、
を備えたことを特徴とする画像表示装置。
【請求項２】
前記地図選択手段は、前記画像ファイルの撮影日時よりも前の作成年度の地図を選択することを特徴とする請求項１記載の画像表示装置。
【請求項３】
前記表示処理手段は、前記撮影画像の撮影地点を示す記号または前記撮影画像のサムネイル画像を前記地図画像中に表示するよう処理することを特徴とする請求項１記載の画像表示装置。
【請求項４】
撮影画像に対して当該撮影画像と最も関連のある分布図を関連付けた上で、前記撮影画像および分布図の双方を一画面に表示する画像表示装置であって、
所定の日時に観測した結果得られたデータから作成された少なくとも１つの分布図を記憶した分布図データベースと、
撮影日時情報および撮影地点情報を含む画像ファイルに基づいて、前記分布図データベースから前記画像ファイルの撮影日時に所定の誤差の範囲で一致した日時の分布図を選択する分布図選択手段と、
前記分布図選択手段によって選択された分布図における前記画像ファイルの撮影地点を含む分布図画像と、前記画像ファイルの撮影画像とを一画面に表示するよう処理する表示処理手段と、
を備えたことを特徴とする画像表示装置。
【請求項５】
前記表示処理手段は、前記撮影画像の撮影地点を示す記号または前記撮影画像のサムネイル画像を前記分布図画面中に表示するよう処理することを特徴とする請求項４記載の画像表示装置。
【請求項６】
前記データを検索条件としてパラメータが一致する撮影画像を検索し、
前記表示処理手段は、前記検索の結果得られた撮影画像と、当該撮影画像に対応する分布図とを一画面に表示するよう処理することを特徴とする請求項４または５記載の画像表示装置。
【発明の詳細な説明】
【０００１】
【発明の属する技術分野】
本発明は、撮影画像に対して当該撮影画像と最も関連のある地図を関連付けた上で、撮影画像および地図の双方を一画面に表示する画像表示装置に関する。
【０００２】
【従来の技術】
デジタルカメラで撮影された画像はファイルとして保存される。当該画像ファイルには、画像データだけでなく、撮影日時やシャッタースピード、露出等の撮影条件に関する付属情報も併せて記録される。このような記録形式の１つに、タグによって各種付属情報を記録可能な「Ｅｘｉｆ規格」がある。
【０００３】
ところで、今日ではＧＰＳ機能を備えた携帯電話が利用されているが、ＧＰＳ機能を搭載したデジタルカメラも考えられている。ＧＰＳ（Ｇｌｏｂａｌ　ＰｏｓｉｔｉｏｎｉｎｇＳｙｓｔｅｍ）とは、地球を低軌道で周回する複数の移動衛星から電波を受信することによって、地球上の任意の地点で現在位置を測定することのできる測位システムである。このようなＧＰＳ機能を備えたデジタルカメラでは画像の付属情報の１つとして撮影地点に関するＧＰＳ情報が得られるため、上述のＥｘｉｆ規格によるフォーマットにはＧＰＳ情報を記録可能なタグが規定されている。
【０００４】
【発明が解決しようとする課題】
上記ＧＰＳ機能を搭載したデジタルカメラで撮影された画像の画像ファイルに含まれているＧＰＳ情報を利用すれば、撮影画像と撮影地点とを関連付けることができる。したがって、デジタルカメラから画像ファイルをパーソナルコンピュータ（ＰＣ）にコピーまたは移動し、当該ＰＣを用いて画像ファイルと地図データベースを利用すれば、撮影画像のサムネイルを地図上に配置したり、撮影画像と地図を一画面に並べて表示させるといったことが可能になる。
【０００５】
しかしながら、撮影画像と地図の関連付けのために用いられる地図データベースが１種類の地図しか有していない場合、画像の撮影日と地図の作成日とが大きく異なることがある。例えば、新しく建設された建造物の撮影画像を１０年前の地図に関連付けても、当該地図にはその建造物が登録されていないため、双方を対応付けて表示することができない。逆に、既に取り壊された建造物の撮影画像を取り壊された後に作成された地図に関連付けても、当該地図にはその建造物が登録されていないため、この場合も双方を対応付けて表示することができない。このように、画像撮影日と地図作成日とが年代的に大きくずれている場合、撮影画像と地図表示とが合致しない恐れがあった。
【０００６】
本発明は、上記従来の事情に鑑みてなされたものであって、撮影画像に対して当該撮影画像と最も関連のある地図を関連付けた上で、撮影画像および地図の双方を一画面に表示することのできる画像表示装置を提供することを目的としている。
【０００７】
【課題を解決するための手段】
上記目的を達成するために、本発明に係る画像表示装置は、撮影画像に対して当該撮影画像と最も関連のある地図を関連付けた上で、前記撮影画像および地図の双方を一画面に表示する画像表示装置であって、作成年度が異なる少なくとも１つの地図を記憶した地図データベースと、撮影日時情報および撮影地点情報を含む画像ファイルに基づいて、前記地図データベースから前記画像ファイルの撮影日時に最も近い作成年度の地図を選択する地図選択手段と、前記地図選択手段によって選択された地図における前記画像ファイルの撮影地点を含む地図画像と、前記画像ファイルの撮影画像とを一画面に表示するよう処理する表示処理手段と、を備えている。したがって、撮影日時をパラメータとした撮影地点を含む最も関連性の高い地図画像を撮影画像と共に表示することができる。
【０００８】
また、本発明に係る画像表示装置は、前記地図選択手段は、前記画像ファイルの撮影日時よりも前の作成年度の地図を選択することが望ましい。
【０００９】
また、本発明に係る画像表示装置は、前記表示処理手段は、前記撮影画像の撮影地点を示す記号または前記撮影画像のサムネイル画像を前記地図画像中に表示するよう処理する。したがって、撮影地点の分布を知ることができる。
【００１０】
また、本発明に係る画像表示装置は、撮影画像に対して当該撮影画像と最も関連のある分布図を関連付けた上で、前記撮影画像および分布図の双方を一画面に表示する画像表示装置であって、所定の日時に観測した結果得られたデータから作成された少なくとも１つの分布図を記憶した分布図データベースと、撮影日時情報および撮影地点情報を含む画像ファイルに基づいて、前記分布図データベースから前記画像ファイルの撮影日時に所定の誤差の範囲で一致した日時の分布図を選択する分布図選択手段と、前記分布図選択手段によって選択された分布図における前記画像ファイルの撮影地点を含む分布図画像と、前記画像ファイルの撮影画像とを一画面に表示するよう処理する表示処理手段と、を備えている。したがって、撮影日時をパラメータとした撮影地点を含む最も関連性の高い分布図を撮影画像と共に表示することができる。
【００１１】
また、本発明に係る画像表示装置は、前記表示処理手段は、前記撮影画像の撮影地点を示す記号または前記撮影画像のサムネイル画像を前記分布図画面中に表示するよう処理する。したがって、撮影地点の分布を知ることができる。
【００１２】
さらに、本発明に係る画像表示装置は、前記データを検索条件としてパラメータが一致する撮影画像を検索し、前記表示処理手段は、前記検索の結果得られた撮影画像と、当該撮影画像に対応する分布図とを一画面に表示するよう処理する。したがって、気圧や気温、湿度等をパラメータとして検索を行うことができ、検索結果としても分布図および撮影画像の双方を表示することができる。
【００１３】
【発明の実施の形態】
以下、本発明に係る画像表示装置の実施の形態について、〔第１の実施形態〕、〔第２の実施形態〕の順に図面を参照して詳細に説明する。
【００１４】
〔第１の実施形態〕
図１は、本発明の第１の実施形態に係る画像表示装置を示す構成図である。同図に示すように、本実施形態の画像表示装置は、ハードディスク（以下「ＨＤＤ」という。）１０１と、地図データベース１０３と、特許請求の範囲の地図選択手段に該当する地図選択部１０５と、表示処理手段に該当する表示処理部１０７とを備えて構成されており、撮影画像に対して当該撮影画像と最も関連のある地図を関連付けた上で、撮影画像および地図の双方を一画面に表示するものである。
【００１５】
以下、本実施形態の画像表示装置が有する各構成要素について説明する。
まず、ＨＤＤ１０１について説明する。ＨＤＤ１０１は、デジタルカメラによって撮影された画像の画像ファイル等が格納された記録媒体である。デジタルカメラで撮影された画像はデジタルカメラに搭載されているメモリカード等の記録媒体に画像ファイルとして記録されるが、ユーザ操作によってＨＤＤ１０１にコピーまたは移動される。画像ファイルには画像データだけでなく撮影日時やシャッタースピード、露出等の撮影条件に関する付属情報も併せて記録される。このような記録形式の１つに、タグによって各種付属情報を記録可能な「Ｅｘｉｆ規格」がある。
【００１６】
本実施形態で用いられるデジタルカメラはＧＰＳ機能を搭載している。ＧＰＳ（Ｇｌｏｂａｌ　Ｐｏｓｉｔｉｏｎｉｎｇ　Ｓｙｓｔｅｍ）とは、地球を低軌道で周回する複数の移動衛星から電波を受信することによって、地球上の任意の地点で現在位置を測定することのできる測位システムである。したがって、本実施形態のＧＰＳ機能搭載デジタルカメラによって撮影が行われると、画像データの他に、撮影日時や撮影地点に関する情報等が所定のフォーマットで記録される。なお、当該所定のフォーマットには、上述したＥｘｉｆ規格のように、付属情報の１つとして撮影地点に関するＧＰＳ情報を示すタグが設けられている。その概略図を図２に示す。
【００１７】
次に、地図データベース１０３について説明する。本実施形態の地図データベース１０３には、作成年度が異なる複数の地図のデータが格納されている。例えば、同一地域の１９９０年度の地図、１９９５年度の地図および２０００年度の地図が格納されている。なお、本実施形態の「地図」という言葉には、一般的に用いられている地図の他に、等高線によって地形等を表した地形図も含むとする。
【００１８】
次に、地図選択部１０５について説明する。地図選択部１０５は、ＨＤＤ１０１に格納されているユーザによって選択された画像ファイルの撮影日時情報に基づいて、地図データベース１０３に格納されている地図の中から撮影日時に最も近い作成年度の地図を選択するものである。例えば、上記地図データベース１０３の例では、１９９２年４月８日に撮影された画像に対しては１９９１年度の地図、１９９８年１月１日の画像に対しては１９９５年度の地図、２００１年３月１３日の画像に対しては２０００年度の地図を選択する。なお、地図選択部１０５は、作成年度が撮影日時以前の地図を選択する必要はなく、作成年度が撮影日時後の地図を選択しても良い。
【００１９】
また、地図選択部１０５は、地図を選択した後、前記画像ファイルのＧＰＳ情報に基づいて、選択した地図の中から当該ＧＰＳ情報が示す地点を含む地図画像データを地図データベース１０３から読み出す。なお、撮影地点を含む地図がない場合は、当然ながら地図データベース１０３から地図画像データを読み出すことはできない。
【００２０】
次に、表示処理部１０７について説明する。表示処理部１０７は、ユーザによって選択された画像ファイルの画像データと、地図選択部１０５で選択された地図の地図画像データから所定の形態で撮影画像および地図画像の双方を表示するよう処理するものである。なお、表示処理部１０７は、地図中に撮影地点を示す記号等を表示するよう処理する。
【００２１】
図３に、本実施形態の画像表示装置による表示画面の一例を示す。同図に示すように、表示画面には、撮影画像３０１と撮影地点を示す地図３０３とが並んで表示され、かつ、ファイル名や撮影日等の情報３０５も表示されている。また、複数のサムネイル画像３０７が横に並んで配列表示可能となっている。ユーザによってサムネイル画像の１つが選択されると、本実施形態の画像表示装置は、当該選択された画像を大きく表示し、かつ、その画像に対応する作成年度の地図を選択して、撮影地点を含む地図を表示する。例えば、図３では２００１年３月１３日に撮影された画像と２０００年度の地図とが表示されているが、図４では１９９６年１月１日に撮影された画像と１９９５年度の地図、図５では１９９２年４月８日の画像と１９９１年度の地図がユーザによる選択によって表示されている。
【００２２】
次に、本実施形態の画像表示装置の動作（画像表示方法）について、図６を参照して説明する。
まず、ユーザによって画像ファイルが選択されると、当該選択された画像ファイルの画像データがＨＤＤ１０１から読み込まれる（ステップＳ１０１）。次に、表示処理部１０７は、ステップＳ１０１で読み込まれた画像データから撮影画像を表示するよう処理する（ステップＳ１０３）。次に、地図選択部１０５は、画像ファイルから撮影日時情報およびＧＰＳ情報を読み込む（ステップＳ１０５）。
【００２３】
次に、ステップＳ１０５で読み込んだＧＰＳ情報から、当該ＧＰＳ情報が示す撮影地点を含む地図が地図データベース１０３にあるかを検索する（ステップＳ１０７）。ステップＳ１０７による検索の結果、該当する地図があるかを判断し（ステップＳ１０９）、該当する地図がなければステップＳ１１１に進み、あればステップＳ１１３に進む。ステップＳ１１１では、該当する地図が地図データベース１０３にない旨を表示し、一連の処理を終了する。
【００２４】
一方、ステップＳ１１３では、ステップＳ１０５で読み込んだ撮影日時情報から該当する地図が複数あるかを判断し、複数ある場合はステップＳ１１５に進み、１つだけであればステップＳ１１７に進む。ステップＳ１１５では地図選択部１０５は撮影日時に最も近い地図を選択し、ステップＳ１１７に進む。ステップＳ１１７では、地図データベース１０３から地図画像データを読み込んで、地図中に撮影地点を示す記号等を表示するよう処理して、一連の処理を終了する。
【００２５】
以上説明したように、本実施形態の画像表示装置および画像表示方法によれば、地図データベース１０３には作成年度の異なる複数の地図が格納されており、ユーザによって撮影画像が選択されると、当該選択された画像の撮影日時に最も近い作成年度の地図を選択して、当該地図の地図画像と撮影画像の双方を一画面に表示する。したがって、撮影日時をパラメータとした撮影地点を含む最も関連性の高い地図を撮影画像と共に表示することができる。
【００２６】
〔第２の実施形態〕
第１の実施形態では撮影画像と共に地図を表示しているが、第２の実施形態では、所定の日時に観測した結果得られたデータから作成された天気図、ひまわり画像、気圧や気温、湿度等をパラメータとした分布図、森林伐採分布図、洪水被害状況説明図などであっても良い。以下、これらの図をまとめて「分布図」という。分布図を利用する場合、画像の撮影日時と一致した分布図が関連付けられなければユーザは有益な情報を得ることができない場合が多い。なお、本実施形態で用いられるデジタルカメラには、撮影時の気圧や気温、湿度等を記録可能であり、撮影画像の付属情報にはこれらのパラメータの記録データが含まれている。
【００２７】
第２の実施形態の画像表示装置の構成は第１の実施形態の画像表示装置と略同様であるため、以下、地図データベース１０３を分布図データベース２０３に置き換え、地図選択部１０５を特許請求の範囲の分布図選択手段に該当する分布図選択部２０５に置き換えて説明する。第１の実施形態で説明したように、地図選択部１０５は地図データベース１０３に格納されている地図の中から撮影日時に最も近い作成年度の地図を選択するが、本実施形態における分布図選択部２０５は、所定の誤差の範囲で撮影日時に一致した分布図を選択する。
【００２８】
以下、本実施形態の画像表示装置の動作（画像表示方法）について、図７を参照して説明する。
まず、ユーザによって画像ファイルが選択されると、当該選択された画像ファイルの画像データがＨＤＤ１０１から読み込まれる（ステップＳ２０１）。次に、表示処理部１０７は、ステップＳ２０１で読み込まれた画像データから撮影画像を表示するよう処理する（ステップＳ２０３）。次に、分布図選択部２０５は、画像ファイルから撮影日時情報およびＧＰＳ情報を読み込む（ステップＳ２０５）。
【００２９】
次に、ステップＳ２０５で読み込んだ撮影日時情報およびＧＰＳ情報から、これらの情報に該当する分布図が分布図データベース２０３にあるかを検索する（ステップＳ２０７）。ステップＳ２０７による検索の結果、該当する分布図があるかを判断し（ステップＳ２０９）、該当する分布図がなければステップＳ２１１に進み、あればステップＳ２１３に進む。ステップＳ２１１では、該当する分布図が分布図データベース２０３にない旨を表示し、一連の処理を終了する。一方、ステップＳ２１３では、分布図データベース２０３から分布図画像データを読み込んで、分布図中に撮影地点を示す記号等を表示するよう処理して、一連の処理を終了する。
【００３０】
また、本実施形態の画像表示装置にあっては、気圧や気温、湿度等を条件として検索することができる。当該検索を行うと、画像表示装置は撮影画像の付属情報として記録されている気圧や気温、湿度等のパラメータが一致する撮影画像と、当該撮影画像に対応する分布図とを表示する。なお、検索条件は１つに限らず複数選択しても良い。図８は、検索条件の設定画面の一例を示す説明図である。また、図９は、第２の実施形態の画像表示装置による表示画面の一例を示す説明図である。
【００３１】
以上説明したように、本実施形態の画像表示装置および画像表示方法によれば、分布図データベース２０３には作成日時の異なる複数の分布図が格納されており、ユーザによって撮影画像が選択されると、当該選択された画像の撮影日時と所定の誤差の範囲で一致した分布図を選択して、当該分布図の分布図画像と撮影画像の双方を一画面に表示する。したがって、撮影日時をパラメータとした撮影地点を含む最も関連性の高い分布図を撮影画像と共に表示することができる。また、気圧や気温、湿度等をパラメータとして検索を行うこともでき、検索結果としても分布図および撮影画像の双方を表示することができる。
【００３２】
なお、上記第１および第２の実施形態では、撮影日時情報やＧＰＳ情報が画像ファイル中に付属情報として含まれていると説明したが、当該付属情報だけを他のデータベース等に記録しておいても良い。また、本実施形態の画像表示装置による図３〜図５および図９に示した表示画面では撮影地点を記号で表しているが、撮影画像のサムネイルで表しても良い。また、地図または分布図中に表示可能な撮影地点は１つに限らず、複数であっても良い。このときも各撮影画像のサムネイルによって撮影地点を表しても良い。さらに、本実施形態では地図選択部１０５（分布図選択部２０５）が地図データベース１０３（分布図データベース２０３）から適当な地図（分布図）を選択しているが、ユーザによって選択可能としても良い。
【００３３】
【発明の効果】
以上説明したように、本発明に係る画像表示装置によれば、撮影日時をパラメータとした撮影地点を含む最も関連性の高い地図画像または分布図画像を撮影画像と共に表示することができる。
【図面の簡単な説明】
【図１】本発明の第１の実施形態に係る画像表示装置を示す構成図
【図２】Ｅｘｉｆ形式の画像ファイルのデータ構成を示す説明図
【図３】第１の実施形態の画像表示装置による表示画面の一例を示す説明図
【図４】第１の実施形態の画像表示装置による表示画面の一例を示す説明図
【図５】第１の実施形態の画像表示装置による表示画面の一例を示す説明図
【図６】第１の実施形態の画像表示装置の動作について説明するフローチャート
【図７】第２の実施形態の画像表示装置の動作について説明するフローチャート
【図８】検索条件の設定画面の一例を示す
【図９】第２の実施形態の画像表示装置による表示画面の一例を示す説明図
【符号の説明】
１０１　ハードディスク（ＨＤＤ）
１０３　地図データベース
１０５　地図選択部
１０７　表示処理部
２０３　分布図データベース
２０５　分布図選択部
【図１】
2004048560.tif 000003
【図２】
2004048560.tif 000004
【図３】
2004048560.tif 000005
【図４】
2004048560.tif 000006
【図５】
2004048560.tif 000007
【図６】
2004048560.tif 000008
【図７】
2004048560.tif 000009
【図８】
2004048560.tif 000010
【図９】
2004048560.tif 000011